(57)【要約】【課題】インキ収容筒に収容したインキの色が、外部から識別可能なボールペンレフィルを簡単な構造で提供することである。【解決手段】本発明は、インキ収容筒内に、ボールペン用インキを直詰めするとともに、チップ本体の先端部に、ボールを回転自在に抱持し、前記チップ本体の後端部を、前記インキ収容筒の先端部に圧入装着してなるボールペンレフィルであって、前記インキ収容筒の先端部に圧入する後端部の外壁に、チップ後端面から軸方向に沿って延びる溝を、周方向の異なる位置に複数本形成し、前記溝にボールペン用インキを収容したことを特徴とする。【選択図】        図２
2010100008.tif 000002
【特許請求の範囲】
【請求項１】
インキ収容筒内に、ボールペン用インキを直詰めするとともに、チップ本体の先端部に、ボールを回転自在に抱持し、前記チップ本体の後端部を、前記インキ収容筒の先端部に圧入装着してなるボールペンレフィルであって、前記インキ収容筒の先端部に圧入する後端部の外壁に、チップ後端面から軸方向に沿って延びる溝を、周方向の異なる位置に複数本形成し、前記溝にボールペン用インキを収容したことを特徴とするボールペンチップ。
【請求項２】
前記溝の長さが、前記圧入部の長さよりも短いことを特徴とする請求項１に記載のボールペンチップ。
【発明の詳細な説明】
【技術分野】
【０００１】
本発明は、インキ収容筒内に、ボールペン用インキを直詰めし、前記インキ収容筒の先端部に、ボールを回転自在に抱持したボールペンチップの後端部を圧入装着してなるボールペンレフィルに関する。
【背景技術】
【０００２】
近年、ボールペンにおいて、黒、赤、青のように、１種類のボールペンに使用可能なボールペンレフィルにおいて、複数のインキ色が望まれている。
【０００３】
こうしたインキ収容筒内に収容したインキ色を外部から確認するために、特開平８−１０４０９３号公報「ボールペン」等に開示のように、チップホルダーや尾栓等をインキ色と同色とする構造はよく知られている。
【特許文献１】「特開平８−１０４０９３号公報」
【発明の開示】
【発明が解決しようとする課題】
【０００４】
しかし、チップホルダーや尾栓等をインキ色と同色とすると、インキ色に併せて各部品を代える必要があり、製造コストが高騰する問題があった。
【０００５】
本発明は上記問題を鑑み、インキ収容筒に収容したインキの色が、外部から識別可能なボールペンレフィルを簡単な構造で提供するものである。
【課題を解決するための手段】
【０００６】
前記目的を達成するために本発明では、インキ収容筒内に、ボールペン用インキを直詰めするとともに、チップ本体の先端部に、ボールを回転自在に抱持し、前記チップ本体の後端部を、前記インキ収容筒の先端部に圧入装着してなるボールペンレフィルであって、前記インキ収容筒の先端部に圧入する後端部の外壁に、チップ後端面から軸方向に沿って延びる溝を、周方向の異なる位置に複数本形成し、前記溝にボールペン用インキを収容したことを特徴とする。
【０００７】
また、前記溝の長さが、前記圧入部の長さよりも短いことを特徴とする。
【発明の効果】
【０００８】
本発明は、インキ収容筒に収容したインキの色が、外部から識別可能なボールペンレフィルを簡単な構造で提供することができた。
【発明を実施するための最良の形態】
【０００９】
実施例１
以下、図面を参照して本発明の実施例を説明するが、本発明のボールペンチップは実施例に限定されるものではない。尚、図面中、同じ部材、同じ部品については同じ番号を付してある。
【００１０】
図１から図４に示すボールペンレフィル１は、ボール３の一部がチップ先端部４ａより突出するように回転自在に抱持したボールペンチップ４の圧入部４ｃを、インキ収容筒２の先端部に、直接、圧入装着している。また、インキ収容筒２内には、ボールペン用インキ６と、ボールペン用インキに追従するインキ追従体７を直に収容してある。
【００１１】
ボールペンチップ４は、チップ本体の圧入部４ｃの外壁に、チップ後端面４ｂから軸方向に沿って延びる溝４ｄを４本形成してある。また、溝４ｄの軸方向に沿った長さＬは、圧入部４ｃの長さＭよりも短く（Ｌ＜Ｍ）形成してある。
【００１２】
インキ収容筒２内にボールペン用インキ７を収容すると、溝４ｄ内にもボールペン用インキ７が充填されるが、ボールペン用インキ７を収容した後、ボールペンチップ４内及びボールペン用インキ７内等に混入した空気を排出する遠心行程を行うことによって、遠心力によって、確実に、溝４ｄ内にボールペン用インキ７を充填することができる。
【００１３】
このように、溝４ｄ内にボールペン用インキ６が充填されると、外部からインキ収容筒２内のインキ色を識別することができるので、ボールペン用インキ６と同色とした、チップホルダーや尾栓等を必要としないので、ボールペン用インキ６を色替えしても共通の部品を用いることができる。
【００１４】
尚、溝４ｄの大きさは、特に限定されないが、溝４ｄの深さが深いとインキ色を識別し難くなるため、深さは、浅くすることが好ましい。具体的には、筆記した紙面上での筆跡の線幅よりも小さくすることが望ましい。また、溝４ｄの形成方法も特に限定されるものではなく、切削加工や押圧加工によって形成することができる。
【００１５】
溝４ｃの形成位置は、外部から視認し易いように、等周方向の異なる位置に、複数本形成することが好ましい。また、溝４ｄの長さＬが、圧入部４ｃの長さよりと同等以上となると、インキ収容筒２の先端面２ａからインキが漏れ出す恐れがあるため、溝４ｄの長さＬは、圧入部４ｃの長さＭよりも短く（Ｌ＜Ｍ）することが最も好ましい。
【００１６】
また、ボールペン用インキには、油性、水性のいずれも含まれ、ボールペン用インキの着色剤は、染料、顔料等、特に限定されるものではなく、適宜選択して使用することができる。特に、ボールペンレフィ-ルに組立て後の外観においては、染料系のインキを用いると、顔料系に比べて、製造工程でインキ色の識別を間違え易いため、本発明の効果は顕著である。
【００１７】
また、図示はしていないが、ボール３の後方に、コイルスプリングを配設し、非使用時には、コイルスプリングの押圧力によってチップ先端部４ａの内壁面に密接しているとともに、筆記時の筆圧によってボール３とチップ先端部４ａの内壁とに隙間を形成して、ボールペン用インキを紙面等に流出する弁機構を具備してあってもよい。
【産業上の利用可能性】
【００１８】
本発明のボールペンレフィルは、水性、油性、剪断減粘性を付与したインキ等、インキの種類に限定されることなく、ボールペンとして広く利用できるものである。
【図面の簡単な説明】
【００１９】
【図１】実施例１におけるボールペンレフィルの縦断面図である。
【図２】図１における、一部省略した要部拡大断面図である。
【図３】図１における、ボールペンチップの外観図である。
【図４】図１におけるＡ−Ａ断面図である。
【符号の説明】
【００２０】
１  ボールペンレフィル
２  インキ収容筒
３  ボール
４  ボールペンチップ
４ａ  先端部
４ｂ  チップ後端面
４ｃ  圧入部
４ｄ  溝
５  尾栓
６  ボール用インキ
７  インキ追従体
L  溝の長さ
M  圧入部の長さ
【図１】
2010100008.tif 000003
【図２】
2010100008.tif 000004
【図３】
2010100008.tif 000005
【図４】
2010100008.tif 000006